(57)【要約】【課題】難聴者や健常者が通話するときに、迅速に最適な音量および音質に変更可能とすることで、満足のいく会話が楽しめる電話装置およびその音声処理方法を提供することを目的とする。【解決手段】電話回線からの音声信号の音量や周波数特性を調整する音声処理部３２を有するコードレス電話装置の子機において、音声処理部３２が調整する音量や周波数特性を操作する操作部３７と、操作部３７で操作された音声処理部３２の調整値が格納される記憶部３８と、操作部３７で調整された調整値を、操作部３７のプリセットキーの識別情報に関連付けて記憶部３８に登録し、プリセットキーが押下されると、このプリセットキーの識別情報に対応付けられた調整値で音声処理部３２を調整する制御部３９とを備えた。【選択図】図３
2006345025.tif 000002
【特許請求の範囲】
【請求項１】
電話回線からの音声信号の音量や周波数特性を調整する音声処理部を有する電話装置において、
前記音声処理部が調整する前記音量や周波数特性を操作する操作部と、
前記操作部で操作された前記音声処理部の調整値が格納される記憶部と、
前記操作部で調整された調整値を、前記操作部の呼び出しボタンの識別情報に関連付けて前記記憶部に登録し、前記呼び出しボタンが押下されると、当該呼び出しボタンの識別情報に対応付けられた調整値で前記音声処理部を調整する制御部とを備えたことを特徴とする電話装置。
【請求項２】
前記制御部は、前記電話回線から呼び出しボタン押下の通知を受信すると、前記呼び出しボタン押下の通知に含まれる前記呼び出しボタンの識別情報に関連付けられた調整値で、前記音声処理部を調整する機能を備えたことを特徴とする請求項１記載の電話装置。
【請求項３】
前記制御部は、前記電話回線から前記音量や周波数特性を調整する旨の音声信号調整通知を受信すると、前記音声信号調整通知に応じた調整値で前記音声処理部を調整する機能を備えたことを特徴とする請求項１または２記載の電話装置。
【請求項４】
前記制御部は、前記音声信号調整通知に引き続いて、調整された調整値の登録を要求する登録要求通知を受信すると、前記登録要求通知に含まれる呼び出しボタンの識別情報を、前記音声処理部を調整した調整値に関連付けて前記記憶部に登録する機能を備えたことを特徴とする請求項３記載の電話装置。
【請求項５】
前記音声処理部により調整された音声信号を音声および振動に変換する骨伝導部を備えたことを特徴とする請求項１から４のいずれか１項に記載の電話装置。
【請求項６】
電話回線からの音声信号の音量や周波数特性を調整する音声処理部と、
前記音声処理部が調整する前記音量や周波数特性を操作する操作部と、
前記操作部で操作された前記音声処理部の調整値が格納される記憶部と、
前記音声処理部を調整する制御部とを有する電話装置の音声処理方法において、
前記制御部が、前記操作部で調整された調整値を前記操作部の呼び出しボタンの識別情報に関連付けて前記記憶部に登録するステップと、
前記制御部が、前記呼び出しボタンが押下されると、当該呼び出しボタンに対応付けられた調整値で前記音声処理部に調整させるステップとを含むことを特徴とする電話装置の音声処理方法。
【請求項７】
前記制御部が、前記電話回線から呼び出しボタン押下の通知を受信すると、前記呼び出しボタン押下の通知に含まれる前記呼び出しボタンの識別情報に関連付けられた調整値で、前記音声処理部を調整するステップを含むことを特徴とする請求項６記載の電話装置の音声処理方法。
【請求項８】
前記制御部が、前記電話回線から前記音量や周波数特性を調整する旨の音声信号調整通知を受信すると、前記音声信号調整通知に応じた調整値で前記音声処理部を調整するステップを含むことを特徴とする請求項６または７記載の電話装置の音声処理方法。
【請求項９】
前記制御部が、前記音声信号調整通知に引き続いて、調整された調整値の登録を要求する登録要求通知を受信すると、前記登録要求通知に含まれる呼び出しボタンの識別情報を、前記音声処理部を調整した調整値に関連付けて前記記憶部に登録するステップを含むことを特徴とする請求項８記載の電話装置の音声処理方法。
【発明の詳細な説明】
【技術分野】
【０００１】
本発明は、電話回線からの音声信号の音量や周波数特性を調整することが可能な電話装置およびその音声処理方法に関する。
【背景技術】
【０００２】
難聴者にとっては、健常者が普通に聞こえる音でも聞こえない場合がある。例えば電話装置で難聴者が通話している場合には、音量を大きくしたり、周波通特性を変えることで音質を変えたりして、聞き取れるようにしないと、通話相手の表情や仕草が見えない通話では、相手を前にして会話する場合に比べて、よりコミュニケーションが取りづらい。
【０００３】
例えば、特許文献１に記載の補聴装置では、マイクロホンで吸音された信号を増幅器で増幅した後に、カットオフ周波数が調整可能な帯域フィルタで３つの周波数帯域に分割し、更にアッテネータを調整することで各周波数帯域のダイナミックレンジを変更する。そして３つの周波数帯域の信号を混合器で混合させてイヤホンにて再生させるものである。
【０００４】
このように、帯域フィルタのカットオフ周波数を調整しながらアッテネータを調整することが可能なので、難聴者にとって各周波数帯域における増幅度およびダイナミックレンジを最適にすることができる。
【特許文献１】特開昭５７−１５９１９９号公報
【発明の開示】
【発明が解決しようとする課題】
【０００５】
特許文献１に記載の補聴装置は、周囲の音を吸音して最適な音量および音質にして難聴者に提供するものではあるが、装着者のみが使用するものなので、他の者が使用する場合には、再度最良の状態に設定をし直す必要がある。
【０００６】
電話装置では、難聴者が使用する場合や、健常者が使用する場合もある。また難聴者でもそれぞれ聞こえにくい状態が異なるので、特許文献１に記載の補聴装置のように音量および音質を調整可能とした電話装置としても、通話者が変わる度に、その設定をし直す必要があり煩雑である。
【０００７】
また、一般的に老齢者に多い難聴者は、電話装置などの機械操作に不慣れなため、通話するときになって通話相手の音声が聞こえず、調整しようとしても調整方法が分からない状態となることも想定され、満足な会話も楽しめないおそれもある。
【０００８】
そこで本発明は、難聴者や健常者が通話するときに、迅速に最適な音量および音質に変更可能とすることで、満足のいく会話が楽しめる電話装置およびその音声処理方法を提供することを目的とする。
【課題を解決するための手段】
【０００９】
本発明は、電話回線からの音声信号の音量や周波数特性を調整する音声処理部を有する電話装置において、前記音声処理部が調整する前記音量や周波数特性を操作する操作部と、前記操作部で操作された前記音声処理部の調整値が格納される記憶部と、前記操作部で調整された調整値を、前記操作部の呼び出しボタンの識別情報に関連付けて前記記憶部に登録し、前記呼び出しボタンが押下されると、当該呼び出しボタンの識別情報に対応付けられた調整値で前記音声処理部を調整する制御部とを備えたことを特徴とする。
【発明の効果】
【００１０】
本発明は、予め登録された呼び出しボタンに対応した調整値で音声信号が調整されるので、難聴者や健常者が通話するときに、迅速に最適な音量および音質に変更することができる。よって、満足のいく会話が楽しめる電話装置とすることができる。
【発明を実施するための最良の形態】
【００１１】
本願の第１の発明は、電話回線からの音声信号の音量や周波数特性を調整する音声処理部を有する電話装置において、音声処理部が調整する音量や周波数特性を操作する操作部と、操作部で操作された音声処理部の調整値が格納される記憶部と、操作部で調整された調整値を、操作部の呼び出しボタンの識別情報に関連付けて記憶部に登録し、呼び出しボタンが押下されると、当該呼び出しボタンの識別情報に対応付けられた調整値で音声処理部を調整する制御部とを備えたことを特徴としたものである。
【００１２】
難聴者や健常者が、予め操作部を操作して、電話回線からの音声信号の音量や周波数特性を調整する。その調整値を制御部が、呼び出しボタンに対応付けて記憶部に登録する。そして次に使用するときに、もし音声が自分に最適でない状態であれば、つまり音声信号の音量、周波数特性が自分に適していない場合には、呼び出しボタンを押下する。そうすると予め登録された呼び出しボタンに対応した調整値が制御部により記憶部から呼び出され、その調整値で音声処理部が音声信号を調整するので、呼び出しボタンを難聴者や健常者にそれぞれ割り当てれば、それぞれ最適な状態の音量や最適な状態の周波数特性とした音質とすることができる。この操作は、呼び出しボタンを押下するだけでできるので、機械操作に不慣れな難聴者や健常者であっても容易に行うことができる。
【００１３】
本願の第２の発明は、制御部は、電話回線から呼び出しボタン押下の通知を受信すると、呼び出しボタン押下の通知に含まれる呼び出しボタンの識別情報に関連付けられた調整値で、音声処理部を調整する機能を備えたことを特徴としたものである。
【００１４】
通話相手の電話装置から所定の操作を行うことで送信された呼び出しボタン押下の通知を、電話回線を介して受信すると、制御部がこの呼び出しボタン押下の通知に含まれる呼び出しボタンの識別情報に基づいて記憶部を検索する。そして制御部が、この識別情報に関連付けられた調整値を読み出して音声処理部を調整する。従って、予め本発明の電話装置を使用する難聴者や健常者に最適な調整値が記憶部に登録されていれば、遠隔地からでも難聴者や健常者に最適な音量や周波数特性とした調整値を読み出して音声処理部を調整することができる。つまり機械操作に不慣れな難聴者や健常者であっても、通話相手が最適な状態にしてあげることができる。
【００１５】
本願の第３の発明は、制御部は、電話回線から音量や周波数特性を調整する旨の音声信号調整通知を受信すると、音声信号調整通知に応じた調整値で音声処理部を調整する機能を備えたことを特徴としたものである。
【００１６】
通話相手の電話装置から所定の操作を行うことで送信された音声信号調整通知を、電話回線を介して受信すると、制御部が音声信号調整通知に応じて音声処理部を調整するので、予め本発明の電話装置を使用する難聴者や健常者に最適な調整値が記憶部に登録されていなくても、遠隔地からでも難聴者や健常者に最適な音量や周波数特性に調整することができる。従って、機械操作に不慣れな難聴者や健常者であっても、通話相手が最適な状態にしてあげることができる。
【００１７】
本願の第４の発明は、制御部は、音声信号調整通知に引き続いて、調整された調整値の登録を要求する登録要求通知を受信すると、登録要求通知に含まれる呼び出しボタンの識別情報を、音声処理部を調整した調整値に関連付けて記憶部に登録する機能を備えたこと
を特徴としたものである。
【００１８】
制御部が、音声信号調整通知に引き続いて、調整された調整値の登録を要求する登録要求通知を受信することで、登録通知に含まれる呼び出しボタンの識別情報を、現在の音声調整処理部が調整する調整値に関連付けて記憶部に登録するので、遠隔地からでも難聴者や健常者に最適な音量や周波数特性に調整した後に、その調整値を記憶部に登録することができる。従って、機械操作に不慣れな難聴者や健常者であっても、通話相手が最適な状態を保存してあげることができる。
【００１９】
本願の第５の発明は、音声処理部により調整された音声信号を音声および振動に変換する骨伝導部を備えたことを特徴としたものである。
【００２０】
音声処理部により調整された音声信号を音声および振動に変換する骨伝導部を備えることで、健常者でも難聴者でも不都合なく調整された音声信号で会話を行うことができる。
【００２１】
本願の第６の発明は、電話回線からの音声信号の音量や周波数特性を調整する音声処理部と、音声処理部が調整する音量や周波数特性を操作する操作部と、操作部で操作された音声処理部の調整値が格納される記憶部と、音声処理部を調整する制御部とを有する電話装置の音声処理方法において、制御部が、操作部で調整された調整値を操作部の呼び出しボタンの識別情報に関連付けて記憶部に登録するステップと、制御部が、呼び出しボタンが押下されると、当該呼び出しボタンに対応付けられた調整値で音声処理部に調整させるステップとを含むことを特徴としたものである。
【００２２】
難聴者や健常者が、予め操作部を操作して、電話回線からの音声信号の音量や周波数特性を調整する。その調整値を制御部が、呼び出しボタンに対応付けて記憶部に登録する。そして次に使用するときに、もし音声が自分に最適でない状態であれば、つまり音声信号の音量、周波数特性が自分に適していない場合には、呼び出しボタンを押下する。そうすると予め登録された呼び出しボタンに対応した調整値が制御部により記憶部から呼び出され、その調整値で音声処理部が音声信号を調整するので、呼び出しボタンを難聴者や健常者にそれぞれ割り当てれば、それぞれ最適な状態の音量や最適な状態の周波数特性とした音質とすることができる。この操作は、呼び出しボタンを押下するだけでできるので、機械操作に不慣れな難聴者や健常者であっても容易に行うことができる。
【００２３】
本願の第７の発明は、制御部が、電話回線から呼び出しボタン押下の通知を受信すると、呼び出しボタン押下の通知に含まれる呼び出しボタンの識別情報に関連付けられた調整値で、音声処理部を調整するステップを含むことを特徴としたものである。
【００２４】
通話相手の電話装置から所定の操作を行うことで送信された呼び出しボタン押下の通知を、電話回線を介して受信すると、制御部がこの呼び出しボタン押下の通知に含まれる呼び出しボタンの識別情報に基づいて記憶部を検索する。そして制御部が、この識別情報に関連付けられた調整値を読み出して音声処理部を調整する。従って、予め本発明の電話装置を使用する難聴者や健常者に最適な調整値が記憶部に登録されていれば、遠隔地からでも難聴者や健常者に最適な音量や周波数特性とした調整値を読み出して音声処理部を調整することができる。つまり機械操作に不慣れな難聴者や健常者であっても、通話相手が最適な状態にしてあげることができる。
【００２５】
本願の第８の発明は、制御部が、電話回線から音量や周波数特性を調整する旨の音声信号調整通知を受信すると、音声信号調整通知に応じた調整値で音声処理部を調整するステップを含むことを特徴としたものである。
【００２６】
通話相手の電話装置から所定の操作を行うことで送信された音声信号調整通知を、電話回線を介して受信すると、制御部が音声信号調整通知に応じて音声処理部を調整するので、予め本発明の電話装置を使用する難聴者や健常者に最適な調整値が記憶部に登録されていなくても、遠隔地からでも難聴者や健常者に最適な音量や周波数特性に調整することができる。従って、機械操作に不慣れな難聴者や健常者であっても、通話相手が最適な状態にしてあげることができる。
【００２７】
本願の第９の発明は、制御部が、音声信号調整通知に引き続いて、調整された調整値の登録を要求する登録要求通知を受信すると、登録要求通知に含まれる呼び出しボタンの識別情報を、音声処理部を調整した調整値に関連付けて記憶部に登録するステップを含むことを特徴としたものである。
【００２８】
制御部が、音声信号調整通知に引き続いて、調整された調整値の登録を要求する登録要求通知を受信することで、登録通知に含まれる呼び出しボタンの識別情報を、現在の音声調整処理部が調整する調整値に関連付けて記憶部に登録するので、遠隔地からでも難聴者や健常者に最適な音量や周波数特性に調整した後に、その調整値を記憶部に登録することができる。従って、機械操作に不慣れな難聴者や健常者であっても、通話相手が最適な状態を保存してあげることができる。
【実施例】
【００２９】
本発明の実施の形態に係る電話装置の構成を図１から図４に基づいて説明する。図１は、本発明の実施の形態に係る電話装置の一例であるコードレス電話装置の構成を説明する図である。
【００３０】
図１に示すように、本発明の実施の形態に係るコードレス電話装置１は、親機２と子機３とが無線で接続され、子機３を使用して難聴者や健常者などの操作者が通話を行う電話装置である。親機２は、電話回線Ｔで加入者電話網やＩＳＤＮ（Ｉｎｔｅｇｒａｔｅｄ  Ｓｅｒｖｉｃｅｓ  Ｄｉｇｉｔａｌ  Ｎｅｔｗｏｒｋ）に接続され、図示しない受話器を備え、この受話器から操作者は通話することもできる。電話回線Ｔは、コードレス電話装置１がＩＰ電話機であれば、電話回線Ｔはインターネットなどのネットワークとなる。なお、図１においては、子機３は２台のみ図示しているが、１台としても３台以上としてもよい。
【００３１】
次に、コードレス電話装置１の親機２の構成について図２に基づいて説明する。図２は、本発明の実施の形態に係る電話装置の一例であるコードレス電話装置１の親機２の構成を説明する図である。
【００３２】
図２に示すように親機２は、ＡＤ／ＤＡ変換部２１と、無線部２２と、ＤＴＭＦ検知部２３と、制御部２４とを備えている。なお図２においては、主要な構成のみを図示しており、操作部、表示部、マイクやスピーカを備えた受話器などは図示していない。
【００３３】
ＡＤ／ＤＡ変換部２１は、電話回線Ｔからの音声信号をデジタル信号である音声データに変換したり、子機３からの音声データを電話回線Ｔへアナログ信号に変換して送出したりする。
【００３４】
無線部２２は、子機３と無線通信する通信手段であり、ＡＤ／ＤＡ変換部２１からの音声データを変調して無線でアンテナ２２ａを介して子機３へ送信したり、子機３からの電波をアンテナ２２ａを介して受信して復調し音声データとする。
【００３５】
ＤＴＭＦ検知部２３は、電話回線ＴからのＤＴＭＦ（Ｄｉａｌ  Ｔｏｎｅ  Ｍｕｌｔｉ
Ｆｒｅｑｕｅｎｃｙ）信号を検知して制御部２４へ通知する。
【００３６】
制御部２４は、親機２の全体を統括制御する制御手段であり、制御部２４は、ＣＰＵ（Ｃｅｎｔｒａｌ  Ｐｒｏｃｅｓｓｉｎｇ  Ｕｎｉｔ）とＣＰＵのタイミングを制御する回路と、ＣＰＵが実行するプログラムが格納されたＲＯＭ（Ｒｅａｄ  Ｏｎｌｙ  Ｍｅｍｏｒｙ）と、プログラムの作業領域として使用されるＲＡＭ（Ｒａｎｄｏｍ  Ａｃｃｅｓｓ
Ｍｅｍｏｒｙ）とを備えている。制御部２４は、このＣＰＵがプログラムを実行することで、ＤＴＭＦ検知部２３からＤＴＭＦ信号を検知した旨の通知や、通話相手の電話装置からのコマンドなどを無線部２２を介して子機３へ送信したり、子機３からの応答を通話相手の電話装置へ送信したりする。
【００３７】
次に、本実施の形態のコードレス電話装置１の子機３の構成について図３に基づいて説明する。図３は、本発明の実施の形態に係る電話装置の一例であるコードレス電話の子機３の構成を説明する図である。
【００３８】
図３に示すように子機３は、無線部３１と、音声処理部３２と、ＤＡ変換部３３と、増幅部３４と、骨伝導部３５と、表示部３６と、操作部３７と、記憶部３８と、制御部３９とを備えている。なお図３においては主要な構成のみを図示しており、音声を入力して音声信号とするマイクや、入力した音声信号を音声データとするＡＤ変換部などは図示していない。
【００３９】
無線部３１は、親機２と無線通信する通信手段であり、親機２からの電波をアンテナ３１ａを介して受信して復調し音声データとしたり、音声処理部３２からの音声データを変調して無線でアンテナ３１ａを介して親機２へ送信したりする。
【００４０】
音声処理部３２は、制御部３９から通知された調整値に基づいて音量や周波数特性を調整したり、側音やノイズを除去したりする機能を有しており、音量調整部３２ａと、音質調整部３２ｂと、側音処理部３２ｃと、ノイズ除去部３２ｄとを備えている。音声処理部３２では、制御部３９から指示された調整値を保持する機能を有しており、通話中に調整されると、次回通話するときには最後の調整値に基づいて、音量や周波数特性が調整される。
【００４１】
音量調整部３２ａは、無線部３１から入力した音声データを、制御部３９からの調整値に基づいて音量を大きくしたり、または小さくしたりして調整する。
【００４２】
音質調整部３２ｂは、無線部３１から入力した音声データを、制御部３９からの調整値に基づいて周波数特性を調整した音質とする。この周波数特性の調整は、特に難聴者用に調整されていなければ、音量調整部３２ａで調整される音量に応じて行われる。例えば、音量が小さい場合には音声データの低音域を強調した音質としたり、音量が大きい場合には音声データの高音域を強調した音質としたりすることで、聞き取りやすい音声としている。
【００４３】
側音処理部３２ｃは、回り込むことでエコーのように聞こえる側音を除去する。ノイズ除去部３２ｄは、音声データに含まれたノイズを除去する。
【００４４】
ＤＡ変換部３３は、音声処理部３２で調整された音声データをアナログの音声信号に変換する。増幅部３４は、音声信号を増幅する。
【００４５】
骨伝導部３５は、音声信号を可聴範囲の音声として鳴動するとともに、難聴者の頭蓋骨に直接振動を与える骨伝導素子を備えている。
【００４６】
表示部３６は、発信先電話番号を表示したり、音声の調整を行う際の調整度合いを表示したりする。この表示部３６には、ＬＣＤ（Ｌｉｑｕｉｄ  Ｃｒｙｓｔａｌ  Ｄｉｓｐｌａｙ）などが使用できる。
【００４７】
操作部３７は、発信先の電話番号を入力したり、音声の調整を行ったりする際に使用される複数のキーを備えている。
【００４８】
ここで操作部３７について図４に基づいて詳細に説明する。図４は、本発明の実施の形態に係るコードレス電話装置１の子機３に備えられた操作部３７を説明する図である。
【００４９】
図４に示すように、子機３を操作する操作者側の面の上部に骨伝導部３５が設けられるとともに、中央部よりやや上となる位置に表示部３６が、そして操作部３７が設けられている。また子機３の一方の側面にも操作部３７の一部が設けられている。
【００５０】
操作部３７として、一方の側面に、略三角形状に形成され、音量を大きくするキーと、小さくするキーとを備えた音量キー３７ａと、その隣に音質変更キー３７ｂとが設けられている。また、子機３を操作する操作者側の面に、電話番号を入力するダイヤルキー３７ｃと、調整した音量または音質を確定させる決定キー３７ｄと、調整された調整値に応じた音量と音質とするプリセットキー（呼び出しボタン）３７ｅとが設けられている。本実施の形態では、プリセットキー３７ｅが３つ設けられているので、３種類の音量および音質の登録が可能である。
【００５１】
図３に戻って、記憶部３８は、操作部３７で操作された音声処理部３２の調整値が格納される。
【００５２】
制御部３９は、子機３の全体を統括制御する制御手段であり、ＣＰＵとＣＰＵのタイミングを制御する回路と、ＣＰＵが実行するプログラムが格納されたＲＯＭと、プログラムの作業領域として使用されるＲＡＭとを備えている。制御部３９は、このＣＰＵがプログラムを実行することで、操作部３７の操作による音量や音質の変更を音声処理部３２へ指示したり、操作部３７のプリセットキー３７ｅに割り当てられて調整値を登録したりする。
【００５３】
以上のように構成される本発明の実施の形態に係るコードレス電話装置１の動作を、更に図５から図８に基づいて説明する。
【００５４】
まず、難聴者または健常者である操作者が、通話中に音量または音質を変更して、その変更した状態を登録して保存するときのコードレス電話装置１の動作を、図５に基づいて説明する。図５は、音量または音質を変更した状態を登録して保存するときのコードレス電話装置１の動作を説明するフローチャートである。
【００５５】
図５に示すように、操作者が通話相手と通話している（Ｓ１０）。このときコードレス電話装置１は、図２に示すようにＡＤ／ＤＡ変換部２１が、電話回線Ｔからの音声信号を受信してデジタル信号の音声データに変換し、無線部２２へ出力する。無線部２２では音声データをアナログ信号に変換して変調し、アンテナ２２ａを介して子機３へ送信する。子機３では、アンテナ３１ａを介して無線部３１が受信し、復調するとともに、デジタル信号である音声データへ変換して音声処理部３２へ出力する。音声処理部３２では、音声データを、前回通話したときの調整値が示す状態に音量および音質に調整する。そしてＤＡ変換部３３でアナログ信号に変換し、増幅部３４で増幅した後、骨伝導部３５で音声や振動で操作者へ通話を伝える。このようにコードレス電話装置１が動作することで、通話
相手と健常者または難聴者が音声や振動で会話をすることができる。
【００５６】
操作者は、音声処理部３２で調整された現在の音量および音質では聞き取り難い場合には、図４に示すように音量に関しては音量キー３７ａのうち、音量を大きくするキーまたは小さくするキーのいずれかを、音質の場合には音質変更キー３７ｂを、それぞれ押下して調整する。この操作により、図３に示す操作部３７から制御部３９に、音量キー３７ａまたは音質変更キー３７ｂの押下が通知される。押下の通知がされた制御部３９は、音量の変更または音質の変更に応じた調整値を記憶部３８に格納するとともに、音声処理部３２に音量または音質の変更を指示する。音声処理部３２は、制御部３９からの音量または音質の変更の指示により、調整値に応じた調整を行う。例えば、音量を大きくするような調整値である場合には、音量調整部３２ａが音声データの音量を大きくする。また、高音域を変更するような調整値である場合には、音質調整部３２ｂが高音域を強調した周波数特性に音声データを調整する。そして変更された音声データに基づいて、ＤＡ変換部３３、増幅部３４を介して骨伝導部３５が操作者に通話を伝える。操作者は、音量キー３７ａまたは音質変更キー３７ｂの操作を繰り返して、骨伝導部３５からの通話が最適となるように調整する（Ｓ２０）。
【００５７】
そして最適な状態となると、操作者は、３つプリセットキー３７ｅのいずれかを押下する（図４参照）。図３に示すように、このプリセットキー３７ｅの押下により操作部３７から制御部３９へプリセットキー３７ｅの押下の通知がされる。制御部３９は、登録確認のメッセージを表示部３６に表示する。例えば「この音量、音質で登録します。よろしければ決定キーを押下してください。」と表示することで、操作者に調整値をプリセットキー３７ｅに対応付けて登録するか否かの確認をする。
【００５８】
操作者が、決定キー３７ｄを押下すると、操作部３７から決定キー３７ｄの押下が制御部３９へ通知される。制御部３９は、記憶部３８に格納された最適とした調整値に、先程に押下したプリセットキー３７ｅを識別する識別情報を対応付ける。この識別情報は、例えば、図４に示されるプリセットキー３７ｅであれば、右から「１」，「２」，「３」とすることができる（Ｓ３０）。
【００５９】
このようにして、操作者は、音量や音質を最適な状態とした調整値をプリセットキー３７ｅに割り当てて登録する。つまり操作者は、例えば識別情報「１」が割り当てられたプリセットキー３７ｅを押下して調整値を記憶部３８に登録すると、その操作者にとって最適な状態の音量および音質とした調整値が、識別情報「１」のプリセットキー３７ｅに割り当てられたことになる。
【００６０】
次に、操作者が、着信して通話するときに、プリセットキー３７ｅを押下して最適な状態とするときのコードレス電話装置１の動作を、図６に基づいて説明する。図６は、操作者が、着信して通話するときに、プリセットキー３７ｅを押下して最適な状態とするときのコードレス電話装置１の動作を説明するフローチャートである。
【００６１】
図６に示すように、まず着信があると、親機２の制御部２４は、親機２に設けられたスピーカ（図２において図示せず）からベル音を鳴動させる。また制御部２４は、子機３に対しても着信通知を送信する。着信通知を受信した子機３の制御部３９は、子機３に設けられたスピーカ（図３において図示せず）からベル音を鳴動させる（Ｓ１００）。
【００６２】
次に、操作者が操作部３７を操作してオフフックした場合をＳ１１０から説明する。操作者が操作部３７を操作してオフフックすると（Ｓ１１０）、子機３の音声処理部３２は、音声処理部３２内に保持している前回の音量と音質で音声データを調整する（Ｓ１２０）。
【００６３】
操作者は、その調整された音声で通話をする（Ｓ１３０）。しかし、その通話の音声が聞き取り難いと判断すると、その操作者用に登録したプリセットキー３７ｅを押下する（Ｓ１４０）。
【００６４】
プリセットキー３７ｅが押下されると、操作部３７からプリセットキー３７ｅの押下が制御部３９へ通知される。制御部３９は、プリセットキー３７ｅの押下の通知に含まれるプリセットキー３７ｅの識別情報から、記憶部３８のその識別情報に対応付けられた調整値を読み込む。そしてその調整値を音声処理部３２へ通知することで、最適な音量および音質の変更を指示する（Ｓ１５０）。そして操作者は、新たな音量および音質となった状態で通話をする（Ｓ１６０）。
【００６５】
このように、健常者が前回通話していたために、次に通話をする難聴者が聴き取りにくい状態となっていても、プリセットキー３７ｅを押下するだけで、難聴者にとって最適の音量および音質とした音声で会話することができるので、機械操作に不慣れであっても、容易に満足のいく会話を楽しむことできる。
【００６６】
これまでは、Ｓ１００にてベル音が鳴動していたときに、Ｓ１１０で操作者が一旦オフフックする場合を説明した。次に、ベル音が鳴動したときにプリセットキー３７ｅで応答する場合を説明する。
【００６７】
Ｓ１００にてベル音が鳴動すると、操作者は、自分用に割り当てたプリセットキー３７ｅを押下する。例えば識別情報「１」が割り当てられたプリセットキー３７ｅを押下する（Ｓ２００）。制御部３９は、この識別情報「１」に対応付けられた調整値を記憶部３８から読み出して音声処理部３２へ通知するとともに、オフフック動作する（Ｓ２１０）。
【００６８】
音声処理部３２は、その通知された調整値に基づいて音量および音質を調整する。そして操作者は、新たな音量および音質となった状態で通話をする（Ｓ２２０）。
【００６９】
このようにして、オフフック動作と音声の調整を１つのプリセットキー３７ｅを押下できるので非常に利便性が高い。
【００７０】
次に、音量および音質の調整を、通話相手の相手電話装置から遠隔操作するときのコードレス電話装置１の動作を、図７に基づいて説明する。図７は、音量および音質の調整を、通話相手の電話装置から遠隔操作するときのコードレス電話装置１の動作を説明するシーケンスチャートである。
【００７１】
通話相手による遠隔操作は、例えば操作者が機械操作に不慣れな難聴者で、通話相手がその難聴者の近親者である場合に、操作者に代わって通話相手である近親者が、音量や音質の調整を行うようなときに行われる。
【００７２】
図７に示すように、まず操作者は、子機３を使用して、相手電話装置と親機２を介して通話している（Ｓ３００）。
【００７３】
コードレス電話装置１に対して認証を得るために、相手電話装置からＤＴＭＦ信号で暗証コードを送出される（Ｓ３１０）。
【００７４】
この暗証コードであるＤＴＭＦ信号を親機２が受信すると、ＤＴＭＦ検知部２３が制御部２４にその内容を通知する。制御部２４は、予め制御部２４内に設定された暗証コードと比較して一致していれば、リモートモードに状態遷移するとともに、リモートモードに
状態遷移した旨の通知を制御部２４から子機３へ通知する。この通知により子機３の制御部３９もリモートモードに状態遷移する（Ｓ３２０）。
【００７５】
このように、遠隔操作にて音量や音質の変更に先立って認証を得るようにしているので、悪意のある通話相手であっても勝手に、コードレス電話装置１の音量や音質の変更ができないようにしている。
【００７６】
通話していて、通話相手が操作者に音声の音量について問診を行い、操作者が聞こえ難いとの応答であった場合に、通話相手は、相手電話装置の数字キーである「２」キーを押下する。この押下により「２」のＤＴＭＦ信号がコードレス電話装置１へ送出される。つまりリモートモードでは、この「２」のＤＴＭＦ信号がコードレス電話装置１に対しての音量アップコマンド（音声信号調整通知）となる（Ｓ３３０）。
【００７７】
このＤＴＭＦ信号を受信した親機２のＤＴＭＦ検知部２３は、数字キーの「２」キーの押下を制御部２４へ通知する。制御部２４は、この通知により音量アップコマンドを子機３へ送信する（Ｓ３４０）。
【００７８】
音量アップコマンドを受信した子機３の制御部３９は、音量のアップに応じた調整値を記憶部３８に格納するとともに、音量のアップの変更を指示するため、その調整値を音声処理部３２へ出力する（Ｓ３５０）。
【００７９】
そして子機３の制御部３９は、音声処理部３２の調整を指示すると、親機２へ設定完了の通知を送信する（Ｓ３６０）。
【００８０】
親機２の制御部２４は、子機３から設定完了の通知を受信すると、相手電話装置へ設定完了の通知を送信する（Ｓ３７０）。
【００８１】
例えば、通話相手が操作者に音声の音量について問診で、操作者が音量が大きすぎる旨の応答であった場合には、通話相手は、相手電話装置の数字キーである「８」キーを押下する。この押下により「８」のＤＴＭＦ信号がコードレス電話装置１へ送出される。つまりリモートモードでは、この「８」のＤＴＭＦ信号がコードレス電話装置１に対しての音量ダウンコマンド（音声信号調整通知）となる（Ｓ３８０）。
【００８２】
このＤＴＭＦ信号を受信した親機２は、Ｓ３４０と同様に子機３へ音量ダウンコマンド通知する（Ｓ３９０）。
【００８３】
音量ダウンコマンドを受信した子機３の制御部３９は、Ｓ３５０と同様に、音量のダウンに応じた調整値を記憶部３８に格納するとともに、音量のダウンの変更を指示するため、その調整値を音声処理部３２へ出力する（Ｓ４００）。
【００８４】
そして子機３の制御部３９による調整が完了すると、設定完了の通知が子機３から親機２へ（Ｓ４１０）、親機２から相手電話装置へ（Ｓ４２０）、送信される。
【００８５】
音質の変更を行う場合には、通話相手は、相手電話装置の数字キーである「５」キーを押下する。この押下により「５」のＤＴＭＦ信号がコードレス電話装置１へ送出される。つまりリモートモードでは、この「５」のＤＴＭＦ信号がコードレス電話装置１に対しての音質変更コマンド（（音声信号調整通知）となる（Ｓ４３０）。
【００８６】
このＤＴＭＦ信号を受信した親機２は、Ｓ３４０と同様に子機３へ音質変更コマンドを通知する（Ｓ４４０）。
【００８７】
音質変更コマンドを受信した子機３の制御部３９は、Ｓ３５０と同様に、音質の変更に応じた調整値を記憶部３８に格納するとともに、音質の変更を指示するため、その調整値を音声処理部３２へ出力する（Ｓ４５０）。
【００８８】
そして子機３の制御部３９による調整が完了すると、設定完了の通知が子機３から親機２へ（Ｓ４６０）、親機２から相手電話装置へ（Ｓ４７０）へ送信される。
【００８９】
このようにして、遠隔操作により音量や音質の変更が可能なので、機械操作に不慣れな難聴者であっても、通話相手の協力を得ながら最適な状態の音声で会話を楽しむことができる。
【００９０】
また、難聴者でなく健常者であっても、前回難聴者が使用して最適な音声の状態となっていないときに、自分で調整しようにも機械操作が不慣れで調整できないときには、通話相手が遠隔操作することで、最適な音声とすることができる。
【００９１】
なお、設定完了の通知は、コードレス電話装置１から相手電話装置に送信されたときに、その旨の通知を通話相手に音声で知らせる必要はないが、変更されたか否かを確実に通話相手に把握させるために、音声で「変更されました。」としたり、またはＤＴＭＦの音声で通知したりするのが望ましい。
【００９２】
次に、上記のように遠隔操作で変更された音量や音質を、プリセットキー３７ｅに割り当てて登録する際のコードレス電話装置１の動作を図８に基づいて説明する。図８は、遠隔操作で変更された音量や音質を、プリセットキー３７ｅに割り当てて登録する際のコードレス電話装置１の動作を説明するシーケンスチャートである。なお図８においての操作は、図７に引き続いて行われるものとする。
【００９３】
図８において、最適となった音量と音質を、プリセットキー３７ｅに割り当てるために、通話相手は、相手電話装置の数字キーである「０」キーを押下する。この押下により「０」のＤＴＭＦ信号がコードレス電話装置１へ送出される。つまりリモートモードでは、この「０」のＤＴＭＦ信号がコードレス電話装置１に対してのプリセットキー登録コマンドとなる（Ｓ５００）。
【００９４】
このＤＴＭＦ信号を受信した親機２のＤＴＭＦ検知部２３は、数字キーの「０」キーの押下を制御部２４へ通知する。制御部２４は、この通知によりプリセットキー登録コマンドを子機３へ送信する（Ｓ５１０）。
【００９５】
子機３の制御部３９は、プリセットキー登録コマンドを受け付けた旨の応答が子機３から親機２へ（Ｓ５２０）、親機２から相手電話装置へ（Ｓ５３０）へ送信される。
【００９６】
このとき親機２から相手電話装置へのプリセットキー登録コマンドを受け付けた旨の応答は、音声で通話相手に、引き続いてプリセットキー３７ｅに相当する数字キーを押下させることを促す内容とするのが望ましい。例えば「プリセット番号を入力してください。」等の音声とすると、通話相手がプリセットキー３７ｅに相当する数字キーを入力する契機となり分かりやすい。
【００９７】
通話相手は、数字キーの「０」キーに引き続いてプリセットキー３７ｅに相当させる数字キー「１」キー、「２」キーまたは「３」キーを押下することで、その数字キーに対応するＤＴＭＦ信号がコードレス電話装置１へ送信される。これらの数字キーのＤＴＭＦ信号が、プリセットキー３７ｅの識別情報と対応することになる。相手装置からプリセット
キー登録コマンドと、数字キーとで、調整された調整値を登録する登録要求通知となる（Ｓ５４０）。
【００９８】
このＤＴＭＦ信号を受信した親機２のＤＴＭＦ検知部２３は、数字キーの「１」キー、「２」キーまたは「３」キーのいずれかの押下を制御部２４へ通知する。制御部２４は、この通知によりプリセット番号コマンドを子機３へ送信する（Ｓ５５０）。
【００９９】
プリセットキー番号コマンドを受信した子機３の制御部３９は、記憶部３８に登録されている現在の音量および音質の調整値に、プリセット番号コマンドでのプリセットキー３７ｅの識別情報を対応付けて登録する（Ｓ５６０）。
【０１００】
そして子機３の制御部３９による登録が完了すると、登録完了の通知が子機３から親機２へ（Ｓ５７０）、親機２から相手電話装置へ（Ｓ５８０）へ送信される。
【０１０１】
このときの親機２から相手電話装置へ送信される登録完了を、登録完了を示す内容とした音声とするのが、通話相手に登録されたことを把握させることができるので望ましい。
【０１０２】
登録が完了したことで、通話相手は数字キーの一つである「＃」キーを押下する。この押下により「＃」のＤＴＭＦ信号がコードレス電話装置１へ送出される（Ｓ５９０）。
【０１０３】
このＤＴＭＦ信号を受信した親機２のＤＴＭＦ検知部２３は、数字キーの「＃」キーの押下を制御部２４へ通知する。制御部２４は、この通知によりリモートモードを解除するとともに、リモートモード解除の通知を子機３へ送信して、通常のモードに遷移する（Ｓ６００）。
【０１０４】
このように、遠隔操作で、最適な状態とした音量および音質の調整値を登録することができるので、調整の操作は分からなくても、次回の通話の際には、プリセットキー３７ｅのいずれかのキーを押下するだけで、最適な状態で会話を楽しむことができる。
【産業上の利用可能性】
【０１０５】
本発明は、難聴者や健常者が通話するときに、迅速に最適な音量および音質に変更可能とすることで、満足のいく会話が楽しめるので、周波数特性を調整して音質の変更や、音量の変更が可能な電話装置およびその音声処理方法に好適である。
【図面の簡単な説明】
【０１０６】
【図１】本発明の実施の形態に係る電話装置の一例であるコードレス電話装置の構成を説明する図
【図２】本発明の実施の形態に係る電話装置の一例であるコードレス電話装置の親機の構成を説明する図
【図３】本発明の実施の形態に係る電話装置の一例であるコードレス電話の子機の構成を説明する図
【図４】本発明の実施の形態に係るコードレス電話装置の子機に備えられた操作部を説明する図
【図５】音量または音質を変更した状態を登録して保存するときのコードレス電話装置の動作を説明するフローチャート
【図６】操作者が、着信して通話するときに、プリセットキーを押下して最適な状態とするときのコードレス電話装置の動作を説明するフローチャート
【図７】音量および音質の調整を、通話相手の電話装置から遠隔操作するときのコードレス電話装置の動作を説明するシーケンスチャート
【図８】遠隔操作で変更された音量や音質を、プリセットキーに割り当てて登録する際のコードレス電話装置の動作を説明するシーケンスチャート
【符号の説明】
【０１０７】
１    コードレス電話装置
２    親機
２１    ＡＤ／ＤＡ変換部
２２    無線部
２２ａ    アンテナ
２３    ＤＴＭＦ検知部
２４    制御部
３    子機
３１    無線部
３１ａ    アンテナ
３２    音声処理部
３２ａ    音量調整部
３２ｂ    音質調整部
３２ｃ    側音処理部
３２ｄ    ノイズ除去部
３３    ＤＡ変換部
３４    増幅部
３５    骨伝導部
３６    表示部
３７    操作部
３７ａ    音量キー
３７ｂ    音質変更キー
３７ｃ    ダイヤルキー
３７ｄ    決定キー
３７ｅ    プリセットキー
３８    記憶部
３９    制御部
Ｔ    電話回線
【図１】
2006345025.tif 000003
【図２】
2006345025.tif 000004
【図３】
2006345025.tif 000005
【図４】
2006345025.tif 000006
【図５】
2006345025.tif 000007
【図６】
2006345025.tif 000008
【図７】
2006345025.tif 000009
【図８】
2006345025.tif 000010